(57)【要約】【課題】本発明のスタンドアローン型セキュリティ装置１０は、設置を希望する適宜位置に簡単に移動させることができ、もちろんその設置には何ら設置工事等の手間を要しないようにすることを目的とする。【解決手段】本発明のスタンドアローン型セキュリティ装置は、機器を収容するスタンドアローン型のハウジングを備え、該ハウジングの内部にコントローラおよび充電器を設置するとともに、該コントローラには緊急通報ボタン、対人・対物センサ、監視カメラ、集音器や集音マイクを含む入力手段と、点滅灯や回転灯、スポットライトを含む警告灯、警報音や言語による警告を発するスピーカ、画像表示部を含む出力手段とが接続され、かつ主要な入力手段および出力手段が、前記コントローラと共通のインターフェースにより交換可能とされている。【選択図】図１
2015014992.tif 000002
【特許請求の範囲】
【請求項１】
機器を収容するスタンドアローン型のハウジングを備え、該ハウジングの内部にコントローラおよび充電器を設置するとともに、該コントローラには緊急通報ボタン、対人・対物センサ、監視カメラ、集音器や集音マイクを含む入力手段と、点滅灯や回転灯、スポットライトを含む警告灯、警報音や言語による警告を発するスピーカ、画像表示部を含む出力手段とが接続され、かつ主要な入力手段および出力手段が、前記コントローラと共通のインターフェースにより交換可能とされていることを特徴とするスタンドアローン型セキュリティ装置。
【請求項２】
前記機器を収容するスタンドアローン型のハウジングは、その表面上の適宜部位にソーラーパネルが搭載され、かつ前記充電器に接続されていることを特徴とする請求項１に記載のスタンドアローン型セキュリティ装置。
【請求項３】
前記機器を収容するスタンドアローン型のハウジングは、高さ方向において上下に回転部と胴部とに分割され、かつ前記回転部は胴部に対して水平方向に周回可能であって、前記対人・対物センサおよび＼または監視カメラは該回転部に搭載されていることを特徴とする請求項１または２に記載のスタンドアローン型セキュリティ装置。
【発明の詳細な説明】
【技術分野】
【０００１】
本発明は、１つのハウジング内に種々のセキュリティ手段を搭載したスタンドアローン型セキュリティ装置に関するものである。
【背景技術】
【０００２】
従来の屋外における防犯装置としては、ほとんどが建築物の外壁や電柱、その他の既設の構築物に取り付けられた監視カメラ、あるいは人感センサやライト付きの監視カメラに頼っていた。
また近年、路傍に多数設置されている飲食料品やたばこ、その他の物品を販売する各種の自動販売機を利用した防犯装置が提案されてきている。
特開平９−３５１３３号公報（特許文献１参照）には、非常スイッチを備えた緊急通報手段と、マイク、スピーカとを備え、前記非常スイッチの操作によって緊急通報手段が作動されたときには、通信回線を通じて接続された特定の警備センターに設置された通話機能を有した通信端末機を呼出し、上記マイクとスピーカを通じて、上記通信端末機と通話が行えるようにした非常通報機能を備えた自動販売機が記載されている。
【０００３】
実用新案登録第３０９４５３７号公報（特許文献２参照）には、人の接近を感じる人感センサと、スピーカと、周囲を照らすライトと周囲を撮影する監視カメラを備え、さらに、内部にタイマーと、音声記録発生部と、異常通報装置と、映像記録装置と、通信装置を備える防犯機能付自動販売機であって、前記異常通報装置は、前記人感センサが人の接近を検知したときには、予め音声記録発生部に録音しておいた複数のフレーズから、所定のフレーズを前記スピーカから発生させ、所定の時間がたっても自動販売機から人が離れず、しかも商品購入の操作もしない場合には、監視カメラ、および映像記録装置、更に夜間には前記ライトを作動させて、監視カメラにより周囲を撮影し、撮影した映像に日時を挿入するようにした前記映像記録装置が提案されている。
【０００４】
しかしながら、前記監視カメラの場合においても、また自動販売機に監視カメラ等を付設した場合においても、建築物の外壁や電柱、その他の既設の構築物に設置したり、自動販売機に取り付ける関係上、当然のことながら設置工事が必要であって手間がかかっていた。しかも故障の際などにはその修理に多大の時間を要していた。
その際、設置業者やその関係者に建築物の内部構造や、防犯上の問題点を見られてしまうという問題があった。
【０００５】
また、防犯上の優れた機能を備えたものであっても、設置場所の環境の変化、例えば建築物の取り壊しや電柱、自動販売機等の配置換え等の際には取り外しを余儀なくされてしまうという問題があった。
その他、防犯機能を高めるための改変は、防犯装置全体を取り換えることが必要であり、その手間やコストは多大なものとなっていた。
【先行技術文献】
【特許文献】
【０００６】
【特許文献１】特開平９−３５１３３号公報
【特許文献２】実用新案登録第３０９４５３７号公報
【発明の概要】
【発明が解決しようとする課題】
【０００７】
解決しようとする問題点は、設置場所における防犯装置の設置工事が必要であって、手間がかかり、故障の際などに修理に多大の時間を要するほか、設置業者やその関係者に建築物の内部構造や、防犯上の問題点を見られてしまう点である。
また、前記防犯装置が防犯上の優れた機能を備えたものであっても、設置場所の環境の変化、例えば建築物の取り壊しや電柱、自動販売機等の配置換え等の際には取り外しを余儀なくされてしまうほか、防犯機能を高めるための改変は、防犯装置全体を取り換えることが必要であり、その手間やコストが多大なものとなってしまう点である。
【課題を解決するための手段】
【０００８】
したがって本発明のスタンドアローン型セキュリティ装置は、機器を収容するスタンドアローン型のハウジングを備え、該ハウジングの内部にコントローラおよび充電器を設置するとともに、該コントローラには緊急通報ボタン、対人・対物センサ、監視カメラ、集音器や集音マイクを含む入力手段と、点滅灯や回転灯、スポットライトを含む警告灯、警報音や言語による警告を発するスピーカ、画像表示部を含む出力手段とが接続され、かつ主要な入力手段および出力手段が、前記コントローラと共通のインターフェースにより交換可能とされていることを特徴とするものである。
【０００９】
本発明のスタンドアローン型セキュリティ装置において、前記機器を収容するスタンドアローン型のハウジングは、その表面上の適宜部位にソーラーパネルが搭載され、かつ前記充電器に接続されていることをも特徴とするものである。
【００１０】
本発明のスタンドアローン型セキュリティ装置において、前記機器を収容するスタンドアローン型のハウジングは、高さ方向において上下に回転部と胴部とに分割され、かつ前記回転部は胴部に対して水平方向に周回可能であって、前記対人・対物センサおよび＼または監視カメラは該回転部に搭載されていることをも特徴とするものである。
【発明の効果】
【００１１】
本発明のスタンドアローン型セキュリティ装置は、設置場所における防犯装置の設置工事が不要であり、設置工事や故障の際の修理に手間がかかることはなく、かつ設置業者やその関係者に建築物の内部構造や、防犯上の問題点を見られこともない。
また、設置場所の環境の変化、例えば建築物の取り壊しや電柱、自動販売機等の配置換え等の際にもスタンドアローンであるため何ら影響を受けることがなく、防犯機能を高めるための改変等においても、個々のパーツを簡単に取り換えることができ、その手間やコストを大幅に低減することができる。
【図面の簡単な説明】
【００１２】
【図１】本発明のスタンドアローン型セキュリティ装置の実施の形態を示す概略図である。
【図２】本発明のスタンドアローン型セキュリティ装置の実施の形態を示す概念図である。
【発明を実施するための形態】
【００１３】
図１は本発明の１実施例の概略図、図２はその概念図である。
すなわち、本発明のスタンドアローン型セキュリティ装置１０は、機器を収容するスタンドアローン型のハウジング１１を備えている。このようにスタンドアローン型とすることにより、設置場所の環境の変化、例えば建築物の取り壊しや電柱、自動販売機等の配置換え等の際にも何ら影響を受けることがない。
【００１４】
前記ハウジング１１は、その内部に下記の入力手段や出力手段を制御するためのコントローラ２１および充電器２２が設置してあり、該コントローラ２１には緊急通報ボタン２３、対人・対物センサ２４、監視カメラ２５、集音器２６や集音マイク２７を含む入力手段（Ｉ）と、点滅灯３１や回転灯３２、スポットライトを含む警告灯３３、警報音や言語による警告を発するスピーカ３４、画像表示部３５を含む出力手段（Ｏ）とが接続されている。
【００１５】
例えば、入力手段（Ｉ）を構成する前記対人・対物センサ２４は、人や動物と、木や葉の動きとを識別する機能を持つものであることが望ましい。前記監視カメラ２５は、前記緊急通報ボタン２３の操作により起動する。また、携帯電話やスマートフォン（多機能型携帯電話）、ＰＤＡ等で前記監視カメラ２５の映像確認のみならず、前記監視カメラ２５そのものの操作をも行えるようにすることができる。
【００１６】
また、出力手段（Ｏ）を構成する点滅灯３１や回転灯３２、スポットライトを含む警告灯３３は前記緊急通報ボタン２３によって、また前記対人・対物センサ２４が人や動物を感知したことによって起動する。
前記集音器２６や集音マイク２７、警報音や言語による警告を発するスピーカ３４は、契約した警備会社等とオンラインで、また警察や病院等の指定先と双方向で通話（会話）ができるように回線を接続しておくことが望ましい。警報音や言語による警告を発するスピーカ３４には、あらかじめ警告や動物に嫌がる音声を登録しておき、必要に応じて警告を発するようにしておけばよい。
前記画像表示部３５には、あらかじめ指定先名ボードを貼付しておくほか、液晶やプラズマ、有機ＥＬ等の基材を用いて文字や動画を表示することができる。そのような文字や動画は警備会社等と契約しておき、適宜の表示内容をオンラインで表示させることができる。
【００１７】
本発明においては、前記主要な入力手段（Ｉ）および出力手段（Ｏ）が、前記コントローラ２１と共通のインターフェース（複数の装置を接続して通信する際の規約で、コネクタの形状や電気信号の形式などを定めているもの）により、必要に応じて交換可能とされている。
したがって前記入力手段（Ｉ）や出力手段（Ｏ）を構成する個々のパーツを簡単に取り換えることができ、その手間やコストを大幅に低減することができるばかりか、新規開発のパーツ等を用いて簡単に機能を向上させることができる。
【００１８】
前記ハウジング１１はその内部に充電器２２が設置してある。この充電器２２は、前記ハウジング１１の表面上の適宜部位に搭載したソーラーパネル４１に接続されている。
したがって、前記ソーラーパネル４１による発電でコントローラ２１や前記入力手段（Ｉ）や出力手段（Ｏ）を起動させるほか、余剰電力を充電器２２に蓄電しておいて夜間等に利用することができる。もちろん、通常のプラグインによる電力供給を受けることも可能である。
【００１９】
本発明のスタンドアローン型セキュリティ装置において、前記機器を収容するスタンドアローン型のハウジング１１は、高さ方向において上下に回転部１１ａと胴部１１ｂとに分割されており、前記回転部１１ａは胴部１１ｂに対して水平方向に周回可能である。
その上で、前記対人・対物センサ２４および＼または監視カメラ２５を該回転部１１ａに搭載しておけば、前記回転部１１ａを３６０度回転させて死角のない監視を行うことができる。
【００２０】
本発明のスタンドアローン型セキュリティ装置１０において、前記機器を収容するスタンドアローン型のハウジング１１は、その基台１１ｃの下面にキャスタ４２等の移動手段が取り付けられている。
したがって、本発明のスタンドアローン型セキュリティ装置１０は設置を希望する適宜位置に簡単に移動させることができ、もちろんその設置には何ら設置工事等の手間を要しない。
【産業上の利用可能性】
【００２１】
本発明は１つのハウジング内に種々のセキュリティ手段を搭載したスタンドアローン型セキュリティ装置であるため、監視を必要とする事業所や公共機関、学校等の教育機関の屋内、屋外に配置することができ、該当場所で移動させるのみで設置が完了する。
設置できる例を挙げると以下の通りである。
１）土木建設現場、仮設事務所、資材置場
２）住宅建設中現場
３）駐車場、駐輪場、カーショップ
４）墓石等石材店、コンクリートブロック工場
５）オープン倉庫
６）製材所
７）農協、農家、収穫前畑、ビニールハウス
８）漁協、漁港、停泊中漁船、船舶
９）長期留守宅
１０）一戸建住宅
１１）終業後、休日のガソリンスタンド
１２）開催前イベント会場
１３）公園、動物園、釣り堀
１４）園芸センター
１５）ホームセンター外部展示場
１６）学校等の窓ガラスを割る事件に対応
１７）公民館
１８）競技場、球場
１９）神社、寺
２０）スクールゾーン
２１）美術館、博物館、展示場
２２）その他  施設内外立ち入り禁止スペース
もちろん、その他適宜の用途に利用することができる。
【００２２】
さらに、自動販売機や道路の近傍に設置されている各種の機器に並べて配置するだけで、自動販売機等の各種の機器の防犯用のみならず、道路上で発生する事故や各種の犯罪の監視にも利用することができる。
【符号の説明】
【００２３】
１０  スタンドアローン型セキュリティ装置
１１  ハウジング
１１ａ  回転部
１１ｂ  胴部
１１ｃ  基台
２１  コントローラ
２２  充電器
２３  緊急通報ボタン
２４  対人・対物センサ
２５  監視カメラ
２６  集音器
２７  集音マイク
３１  点滅灯
３２  回転灯
３３  警告灯
３４  スピーカ
３５  画像表示部
４１  ソーラーパネル
４２  キャスタ
【図１】
2015014992.tif 000003
【図２】
2015014992.tif 000004